(57)【要約】【課題】再生専用エリア及び記録可能エリアを備えつつも、記録可能エリアに記録されたデータの不本意な消去ないしは上書きを防止する。【解決手段】記録媒体は、再生専用エリア（２０、２０３）と、データを記録可能な記録可能エリア（２１、２１３）とを備えており、再生専用エリアには、記録可能エリアへの特定のデータ（２７１）の記録が許可されている記録装置を識別するための識別情報（２６０、２６１）が記録されている。【選択図】図３
2012038386.tif 000002
【特許請求の範囲】
【請求項１】
再生専用エリアと、
データを記録可能な記録可能エリアと
を備えており、
前記再生専用エリアには、前記記録可能エリアへの特定のデータの記録が許可されている記録装置を識別するための識別情報が記録されていることを特徴とする記録媒体。
【請求項２】
前記記録可能エリアへ記録される前記特定のデータがＡＶコンテンツであることを特徴とする請求項１に記載の記録媒体。
【請求項３】
前記識別情報は、前記記録装置が使用するファイルシステムによって認識可能なファイルとして記録されていることを特徴とする請求項１に記載の記録媒体。
【請求項４】
前記識別情報は、前記記録装置の製造者を識別する製造者識別情報と、前記製造者毎に前記記録装置を識別する装置識別情報とを含むことを特徴とする請求項１に記載の記録媒体。
【請求項５】
請求項１に記載の記録媒体に対する記録動作を行う記録装置であって、
前記再生専用エリアに記録されている前記識別情報を読み取る読取手段と、
前記読取手段により読み取られる前記識別情報及び当該記録装置の識別情報の双方に基づいて、当該記録装置が、前記記録可能エリアへの前記特定のデータの記録が許可されている記録装置であるか否かを判定する判定手段と、
当該記録装置が、前記記録可能エリアへの前記特定のデータの記録が許可されている記録装置であると判定される場合に、前記記録可能エリアに前記特定のデータを記録する記録手段と
を備えることを特徴とする記録装置。
【請求項６】
当該記録装置が、前記記録可能エリアへの前記特定のデータの記録が許可されている記録装置でないと判定される場合に、前記記録手段は、前記記録可能エリアに前記特定のデータを記録しないことを特徴とする請求項５に記載の記録装置。
【請求項７】
請求項１に記載の記録媒体に対する記録動作を行う記録方法であって、
前記再生専用エリアに記録されている前記識別情報を読み取る読取工程と、
前記読取工程において読み取られる前記識別情報及び当該記録方法を実行する記録装置の識別情報の双方に基づいて、当該記録装置が、前記記録可能エリアへの前記特定のデータの記録が許可されている記録装置であるか否かを判定する判定工程と、
当該記録装置が、前記記録可能エリアへの前記特定のデータの記録が許可されている記録装置であると判定される場合に、前記記録可能エリアに前記特定のデータを記録する記録工程と
を備えることを特徴とする記録方法。
【請求項８】
請求項５に記載の記録装置と、
前記記録媒体に対する再生動作を行う再生手段と
を備えることを特徴とする記録再生装置。
【請求項９】
請求項７に記載の記録方法と、
前記記録媒体に対する再生動作を行う再生工程と
を備えることを特徴とする記録再生方法。
【請求項１０】
請求項５に記載の記録装置に備えられたコンピュータを制御するコンピュータプログラムであって、
該コンピュータを、前記読取手段、前記判定手段及び前記記録手段として機能させることを特徴とするコンピュータプログラム。
【請求項１１】
請求項８に記載の記録再生装置に備えられたコンピュータを制御するコンピュータプログラムであって、
該コンピュータを、前記記録装置及び前記再生手段として機能させることを特徴とするコンピュータプログラム。
【発明の詳細な説明】
【技術分野】
【０００１】
本発明は、例えばＤＶＤやＢｌｕ−ｒａｙ  Ｄｉｓｃ等の記録媒体、当該記録媒体に対して記録動作を行う記録装置及び方法、当該記録媒体に対して記録動作及び再生動作を行う記録再生装置及び方法、並びにコンピュータをこのような記録装置又は記録再生装置として機能させるコンピュータプログラムの技術分野に関する。
【背景技術】
【０００２】
例えば、ＣＤ、ＤＶＤ、Ｂｌｕ−ｒａｙ  Ｄｉｓｃ（ＢＤ）等の記録媒体では、同一基板上に複数の記録層が積層されてなる多層型の記録媒体が開発されている。より具体的には、再生専用型の記録層が積層されている多層型のＤＶＤ−ＲＯＭやＢＤ−ＲＯＭ、記録可能型（具体的には、追記型）の記録層が積層されている多層型のＤＶＤ−ＲやＢＤ−Ｒ、及び記録可能型（具体的には、書換型）の記録層が積層されている多層型のＤＶＤ−ＲＷやＢＤ−ＲＥが開発されている。
【０００３】
一方で、特許文献１に開示されているように、同一の規格に準拠した異なる種類の複数の記録層が積層されている記録媒体（いわゆる、イントラハイブリッドディスク）の開発も進められている。このようなイントラハイブリッドディスクとしては、ＢＤ規格に準拠した再生専用型の記録層とＢＤ規格に準拠した書換型の記録層とが積層された記録媒体や、ＤＶＤ規格に準拠した再生専用型の記録層とＤＶＤ規格に準拠した書換型の記録層とが積層された記録媒体等が一例としてあげられる。
【先行技術文献】
【特許文献】
【０００４】
【特許文献１】特開２００２−５６５４３号公報
【発明の開示】
【発明が解決しようとする課題】
【０００５】
このようなイントラハイブリッドディスクは、例えば、写真やイラスト等のデータを再生専用型の記録層に予め記録した状態で販売されることが想定されている。他方で、イントラハイブリッドディスクの記録可能型の記録層は、例えば、通常の記録可能型の光ディスクと同様に取り扱われることが想定されている。従って、イントラハイブリッドディスクがローディングされる記録装置は、再生専用型の記録層に予め記録されたデータを読み取るないしは再生したり、記録可能型の記録層に任意のデータを記録したり、記録可能型の記録層に記録した任意のデータを読み取るないしは再生したりすることができる。
【０００６】
記録可能型の記録層には、任意のデータとして、記録装置に独自のないしは固有のデータを記録することができる。例えば、記録可能型の記録層に記録されている通常のデータ（或いは、共通のデータ）のうちの一部を特定するないしは参照する又は利用する独自のデータを記録することができる。より具体的には、例えば、記録可能型の記録層には、ＡＶコンテンツデータを記録すると共に、当該ＡＶコンテンツデータの一部を特定する（例えば、ダイジェスト再生する）ための独自のデータを記録することができる。
【０００７】
しかしながら、このような通常のデータに加えて独自のデータを記録可能型の記録層に記録する用途を想定した場合、以下に示す技術的な問題が生じてしまいかねない。
【０００８】
具体的には、上述した独自のデータは、当該独自のデータを記録した記録装置に固有のデータである。従って、当該独自のデータを記録した記録装置以外の他の記録装置は、独自のデータを読み取ることができない場合がある。つまり、当該独自のデータを記録した記録装置以外の他の記録装置は、記録可能型の記録層に記録されている通常のデータの一部が独自のデータによって特定されているないしは参照されている又は利用されていることを認識することができない場合がある。このため、当該イントラハイブリッドディスクが他の記録装置にローディングされた場合には、他の記録装置は、記録可能型の記録層に対してデータを記録する際に、独自のデータが特定するないしは参照する又は利用する通常のデータの一部を消去ないしは上書きしてしまいかねない。この場合、当該イントラハイブリッドディスクが独自のデータを記録した記録装置に再度ローディングされた場合には、独自のデータが特定するないしは参照する又は利用する通常のデータの一部が消去ないしは上書きされているため、独自のデータを用いた動作が適切に実行されなくなってしまう。
【０００９】
尚、上述した技術的な問題点は、イントラハイブリッドディスクに限らず、再生専用型のエリア（再生専用エリア）と記録可能型のエリア（記録可能エリア）とを含む記録媒体においても生じ得る。
【００１０】
本発明は、例えば上述した従来の問題点に鑑みなされたものであり、例えば再生専用エリア及び記録可能エリアを備えつつも、記録可能エリアに記録されたデータの不本意な消去ないしは上書きを防止することが可能な記録媒体、このような記録媒体に対する記録動作を行う記録装置及び方法、このような記録媒体に対する記録動作及び再生動作を行う記録再生装置及び方法、並びにコンピュータをこのような記録装置又は記録再生装置として動作させるコンピュータプログラムを提供することを課題とする。
【課題を解決するための手段】
【００１１】
上記課題は、再生専用エリアと、データを記録可能な記録可能エリアとを備えており、前記再生専用エリアには、前記記録可能エリアへの特定のデータの記録が許可されている記録装置を識別するための識別情報が記録されている記録媒体によって解決され得る。
【００１２】
上記課題は、上述の記録媒体に対する記録動作を行う記録装置であって、前記再生専用エリアに記録されている前記識別情報を読み取る読取手段と、前記読取手段により読み取られる前記識別情報及び当該記録装置の識別情報の双方に基づいて、当該記録装置が、前記記録可能エリアへの前記特定のデータの記録が許可されている記録装置であるか否かを判定する判定手段と、当該記録装置が、前記記録可能エリアへの前記特定のデータの記録が許可されている記録装置であると判定される場合に、前記記録可能エリアに前記特定のデータを記録する記録手段とを備える記録装置によって解決され得る。
【００１３】
上記課題は、上述の記録媒体に対する記録動作を行う記録方法であって、前記再生専用エリアに記録されている前記識別情報を読み取る読取工程と、前記読取工程において読み取られる前記識別情報及び当該記録方法を実行する記録装置の識別情報の双方に基づいて、当該記録装置が、前記記録可能エリアへの前記特定のデータの記録が許可されている記録装置であるか否かを判定する判定工程と、当該記録装置が、前記記録可能エリアへの前記特定のデータの記録が許可されている記録装置であると判定される場合に、前記記録可能エリアに前記特定のデータを記録する記録工程とを備える記録方法によって解決され得る。
【００１４】
上記課題は、上述の記録装置と、前記記録媒体に対する再生動作を行う再生手段とを備える記録再生装置によって解決され得る。
【００１５】
上記課題は、上述の記録方法と、前記記録媒体に対する再生動作を行う再生工程とを備える記録再生方法によって解決され得る。
【００１６】
上記課題は、上述の記録装置に備えられたコンピュータを制御するコンピュータプログラムであって、該コンピュータを、前記読取手段、前記判定手段及び前記記録手段として機能させるコンピュータプログラムによって解決され得る。
【００１７】
上記課題は、上述の記録再生装置に備えられたコンピュータを制御するコンピュータプログラムであって、該コンピュータを、前記記録装置及び前記再生手段として機能させるコンピュータプログラムによって解決され得る。
【００１８】
本発明の作用及び他の利得は次に説明する実施の形態から明らかにされよう。
【図面の簡単な説明】
【００１９】
【図１】本実施例に係る光ディスクの構造を示した概略平面図である。
【図２】本実施例に係る光ディスクの構造を示した概略平面図であり、該光ディスクの半径方向における記録領域構造の図式的概念図である。
【図３】光ディスク上のデータ構造を示すデータ構造図である。
【図４】識別子データのデータ構造を示すデータ構造図である。
【図５】本実施例の記録再生装置の構成を概念的に示すブロック図である。
【図６】本実施例の記録再生装置の動作の流れを概念的に示すフローチャートである。
【図７】比較例の記録再生装置の動作によって生ずる光ディスク上のデータ構造を示すデータ構造図である。
【発明を実施するための形態】
【００２０】
以下、記録媒体、記録装置及び方法、記録再生装置及び方法、並びにコンピュータプログラムの実施形態の説明を進める。
【００２１】
（記録媒体の実施形態）
記録媒体の実施形態は、再生専用エリアと、データを記録可能な記録可能エリアとを備えており、前記再生専用エリアには、前記記録可能エリアへの特定のデータの記録が許可されている記録装置を識別するための識別情報が記録されている。
【００２２】
記録媒体の実施形態によれば、データの再生が可能な再生専用エリアと、データの記録及び再生が可能な記録可能エリアとを備えている。尚、再生専用エリア及び記録可能エリアが同一の記録層上に配置されていてもよいし、夫々異なる記録層上に配置されていてもよい。再生専用エリアには、例えばエンボスピット等を用いて所定のデータが予め記録されている。つまり、再生専用エリアには、例えば後述の記録装置によってデータを記録することができないことが好ましい。記録可能エリアには、任意のデータが記録される。つまり、記録可能エリアには、例えば後述の記録装置によって、任意のデータが追記されてもよいし、上書きされてもよい。
【００２３】
本実施形態の記録媒体では、再生専用エリアには、識別情報が予め記録されている。識別情報は、記録可能エリアへの特定のデータの記録が許可されている記録装置を識別するための情報である。言い換えれば、識別情報は、記録可能エリアへの特定のデータの記録が禁止されている記録装置を識別するための情報である。
【００２４】
このため、記録媒体をローディングした記録装置は、識別情報を参照することで、記録可能エリアへの特定のデータの記録が許可されているか否かを判定することができる。従って、記録可能エリアへの特定のデータの記録が許可されている記録装置は、記録可能エリアに対して特定のデータを記録することができる。他方で、記録可能エリアへの特定のデータの記録が許可されていない記録装置は、記録可能エリアに対して特定のデータを記録することができない。このため、本実施形態の記録媒体によれば、例えば記録可能エリアに記録されているデータ（例えば、特定のデータ）の不本意な消去ないしは上書きを防ぐことができる。
【００２５】
本実施形態の記録媒体の他の態様では、前記記録可能エリアへ記録される前記特定のデータがＡＶコンテンツである。
【００２６】
この態様によれば、後に詳述するように、特定のデータであるＡＶコンテンツの不本意な消去ないしは上書きを防ぐことができる。
【００２７】
本実施形態の記録媒体の他の態様では、前記識別情報は、前記記録装置が使用するファイルシステムによって認識可能なファイルとして記録されている。
【００２８】
この態様によれば、記録装置というハードウェアからの識別情報の読み取りのみならず、記録装置を実現するソフトウェアからの識別情報の読み取りも好適に行われる。従って、記録装置がハードウェアから構成されているか又はソフトウェアから構成されているかに関わらず、記録可能エリアに記録されているデータ（例えば、特定のデータ）の不本意な消去ないしは上書きを防ぐことができる。
【００２９】
本実施形態の記録媒体の他の態様では、前記識別情報は、前記記録装置の製造者を識別する製造者識別情報と、前記製造者毎に前記記録装置を識別する装置識別情報とを含む。
【００３０】
この態様によれば、製造者識別情報を読み取ることで記録装置の製造者を迅速に識別することができる。従って、記録装置の識別を相対的に迅速に行うことができる。加えて、装置識別情報を読み取ることで識別された製造者内での記録装置を迅速に識別することができる。このため、他の製造者との間での装置識別情報の重複を考慮することなく、同一製造者内での自由な装置識別情報の割り当てが可能になると共に、同一製造者内での記録装置のグループ分けが容易になる。
【００３１】
（記録装置の実施形態）
記録装置の実施形態は、本実施形態の記録媒体（但し、その各種態様を含む）に対する記録動作を行う記録装置であって、前記再生専用エリアに記録されている前記識別情報を読み取る読取手段と、前記読取手段により読み取られる前記識別情報及び当該記録装置の識別情報の双方に基づいて、当該記録装置が、前記記録可能エリアへの前記特定のデータの記録が許可されている記録装置であるか否かを判定する判定手段と、当該記録装置が、前記記録可能エリアへの前記特定のデータの記録が許可されている記録装置であると判定される場合に、前記記録可能エリアに前記特定のデータを記録する記録手段とを備える。
【００３２】
記録装置の実施形態によれば、再生専用エリアに予め記録されている識別情報（つまり、読取手段が読み取った識別情報）と記録装置自身の識別情報とを参照する（例えば、比較する）ことで、記録可能エリアへの特定のデータの記録が許可されているか否かを判定することができる。従って、記録装置は、記録可能エリアへの特定のデータの記録が許可されていると判定される場合に、記録可能エリアに対して特定のデータを記録することができる。他方で、記録装置は、記録可能エリアへの特定のデータの記録が許可されていない記録装置は、記録可能エリアに対して特定のデータを記録することができない。このため、例えば記録可能エリアに記録されているデータ（例えば、特定のデータ）の不本意な消去ないしは上書きを防ぐことができる。
【００３３】
尚、上述した記録媒体の実施形態における各種態様に対応して、本発明の記録装置の実施形態も各種態様を採ることが可能である。
【００３４】
本実施形態の記録装置の他の態様では、当該記録装置が、前記記録可能エリアへの前記特定のデータの記録が許可されている記録装置でないと判定される場合に、前記記録手段は、前記記録可能エリアに前記特定のデータを記録しない。
【００３５】
この態様によれば、記録装置は、記録可能エリアへの特定のデータの記録が許可されていないと判定される場合には、記録可能エリアに対して特定のデータを記録することができない。このため、例えば記録可能エリアに記録されているデータ（例えば、特定のデータ）の不本意な消去ないしは上書きをより好適に防ぐことができる。
【００３６】
（記録方法の実施形態）
記録方法の実施形態は、上述の記録媒体の実施形態（但し、その各種態様を含む）に対する記録動作を行う記録方法であって、前記再生専用エリアに記録されている前記識別情報を読み取る読取工程と、前記読取工程において読み取られる前記識別情報及び当該記録方法を実行する記録装置の識別情報の双方に基づいて、当該記録装置が、前記記録可能エリアへの前記特定のデータの記録が許可されている記録装置であるか否かを判定する判定工程と、当該記録装置が、前記記録可能エリアへの前記特定のデータの記録が許可されている記録装置であると判定される場合に、前記記録可能エリアに前記特定のデータを記録する記録工程とを備える、
記録方法の実施形態によれば、上述した記録装置の実施形態が享受することができる各種効果と同様の効果を享受することができる。
【００３７】
尚、上述した記録装置の実施形態における各種態様に対応して、記録方法の実施形態も各種態様を採ることが可能である。
【００３８】
（記録再生装置の実施形態）
記録再生装置の実施形態は、上述した実施形態の記録装置（但し、その各種態様を含む）と、前記記録媒体に対する再生動作を行う再生手段とを備える。
【００３９】
記録再生装置の実施形態によれば、上述した記録装置の実施形態が享受することができる各種効果と同様の効果を享受しながら、記録媒体に対する再生動作をも実行することができる。
【００４０】
尚、上述した記録装置の実施形態における各種態様に対応して、記録再生装置の実施形態も各種態様を採ることが可能である。
【００４１】
（記録再生方法の実施形態）
記録再生方法の実施形態は、上述した実施形態の記録方法（但し、その各種態様を含む）と、前記記録媒体に対する再生動作を行う再生工程とを備える。
【００４２】
記録再生方法の実施形態によれば、上述した記録方法の実施形態が享受することができる各種効果と同様の効果を享受しながら、記録媒体に対する再生動作をも実行することができる。
【００４３】
尚、上述した記録方法の実施形態における各種態様に対応して、記録再生方法の実施形態も各種態様を採ることが可能である。
【００４４】
（コンピュータプログラムの実施形態）
コンピュータプログラムの第１実施形態は、上述した記録装置の実施形態（但し、その各種態様を含む）に備えられたコンピュータを制御するコンピュータプログラムであって、該コンピュータを、前記読取手段、前記判定手段及び前記記録手段として機能させる。
【００４５】
コンピュータプログラムの第１実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した記録装置の実施形態を比較的簡単に実現できる。
【００４６】
尚、上述した記録装置の実施形態における各種態様に対応して、コンピュータプログラムの第１実施形態も各種態様を採ることが可能である。
【００４７】
コンピュータプログラムの第２実施形態は、上述した記録再生装置の実施形態（但し、その各種態様を含む）に備えられたコンピュータを制御するコンピュータプログラムであって、該コンピュータを、前記記録装置及び前記再生手段として機能させる。
【００４８】
コンピュータプログラムの第２実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した記録再生装置の実施形態を比較的簡単に実現できる。
【００４９】
尚、上述した記録再生装置の実施形態における各種態様に対応して、コンピュータプログラムの第２実施形態も各種態様を採ることが可能である。
【００５０】
（コンピュータプログラム製品の実施形態）
コンピュータプログラム製品の第１実施形態は、上述した記録装置の実施形態（但し、その各種態様を含む）に備えられたコンピュータにより実行可能なプログラム命令を明白に具現化し、該コンピュータを、前記読取手段、前記判定手段及び前記記録手段として機能させる。
【００５１】
コンピュータプログラム製品の第１実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した記録装置の実施形態を比較的容易に実施可能となる。更に具体的には、当該コンピュータプログラム製品は、上述した記録装置の実施形態として機能させるコンピュータ読取可能なコード（或いはコンピュータ読取可能な命令）から構成されてよい。
【００５２】
尚、上述した記録装置に係る実施形態における各種態様に対応して、コンピュータプログラム製品の第１実施形態も各種態様を採ることが可能である。
【００５３】
コンピュータプログラム製品の第２実施形態は、上述した記録再生装置の実施形態（但し、その各種態様を含む）に備えられたコンピュータにより実行可能なプログラム命令を明白に具現化し、該コンピュータを、前記記録装置及び前記再生手段として機能させる。
【００５４】
コンピュータプログラム製品の第２実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した記録再生装置の実施形態を比較的容易に実施可能となる。更に具体的には、当該コンピュータプログラム製品は、上述した記録再生装置の実施形態として機能させるコンピュータ読取可能なコード（或いはコンピュータ読取可能な命令）から構成されてよい。
【００５５】
尚、上述した記録再生装置に係る実施形態における各種態様に対応して、コンピュータプログラム製品の第２実施形態も各種態様を採ることが可能である。
【００５６】
本実施形態のこのような作用及び他の利得は次に説明する実施例から更に明らかにされよう。
【００５７】
以上説明したように、記録媒体の実施形態は、再生専用エリアと記録可能エリアとを備えており、再生専用エリアには識別情報が記録されている。記録装置の実施形態は、読取手段と、判定手段と、記録手段とを備えている。記録装置の実施形態は、読取工程と、判定工程と、記録工程とを備えている。記録方法の実施形態は、読取工程と、判定工程と、記録工程とを備えている。記録再生装置の実施形態は、記録装置の実施形態と、再生手段とを備えている。記録再生方法の実施形態は、記録方法の実施形態と、再生工程とを備えている。コンピュータプログラムの第１実施形態は、コンピュータを記録装置の実施形態として機能させる。コンピュータプログラムの第２実施形態は、コンピュータを記録再生装置の実施形態として機能させる。従って、記録可能エリアに記録されたデータ（例えば、特定のデータ）の不本意な消去ないしは上書きを防止することができる。
【実施例】
【００５８】
以下、本発明の実施例を図面に基づいて説明する。
【００５９】
（１）記録媒体
初めに、図１から図４を参照して、記録媒体の実施例である光ディスク１１について説明を進める。
【００６０】
（１−１）光ディスクの構造
まず、図１及び図２を参照して、記録媒体の実施例である光ディスク１１の構造について説明を進める。図１は、光ディスク１１の構造を示した概略平面図である。図２は、光ディスク１１の概略断面図と、これに対応付けられた、その半径方向における記録領域構造の図式的概念図である。
【００６１】
図１及び図２に示すように、光ディスク１１は、例えば、ＤＶＤと同じく直径１２ｃｍ程度のディスク本体上の記録面に、センターホール２２を中心として、リードインエリア２０１及び２１１、データエリア２０３及び２１３、並びにリードアウトエリア２０５及び２１５を備えている。光ディスク１１は、カバー層２３と透明基板２４との間に記録層等が積層されている。この記録層の各記録領域には、例えば、センターホール２２を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、記録情報がエラー訂正可能なデータ管理単位である。
【００６２】
特に、光ディスク１１は、図２に示すように、例えば、透明基板２４に、「記録層」の一例を構成するＲＯＭ層２０及びＲＥ層２１が積層され、更にその上に透明なカバー層２３が積層された構造をしている。このような２層型の光ディスク１１の記録再生時には、図２中、下側から上側に向かって照射されるレーザ光ＬＢの集光位置をいずれの記録層に合わせるかに応じて、ＲＯＭ層２０におけるデータの再生が行なわれるか又はＲＥ層２１におけるデータの記録再生が行われる。
【００６３】
ＲＯＭ層２０は、内周側（図２中左側）から外周側（図２中右側）に向かって、リードインエリア２０１と、データエリア２０３と、リードアウトエリア２０５とを備えている。リードインエリア２０１には、データエリア２０３に予め記録されているデータを制御又は管理する制御データ又は管理データや、その他のダミーデータ等が予め記録されている。データエリア２０３には、任意のデータが予め記録されている。尚、データエリア２０３におけるデータ構造については、後に詳述する（図３から図４参照）。リードアウトエリア２０５には、データエリア２０３に予め記録されているデータを制御又は管理する制御データ又は管理データや、その他のダミーデータ等が予め記録されている。尚、ＲＯＭ層２０は、再生専用型の記録層であるため、リードインエリア２０１、データエリア２０３及びリードアウトエリア２０５の夫々には、例えばエンボスピットを用いて各種データが予め記録されている。
【００６４】
ＲＥ層２１は、内周側（図２中左側）から外周側（図２中右側）に向かって、リードインエリア２１１と、ＩＳＡ（Inner Spare Area：内周側スペアエリア）２１２と、データエリア２１３と、ＯＳＡ（Outer Spare Area：外周側スペアエリア）２１４と、リードアウトエリア２１５とを備えている。リードインエリア２１１には、データエリア２１３に記録されたデータを制御又は管理する制御データ又は管理データや、その他のダミーデータ等が適宜記録される。ＩＳＡ２１２及びＯＳＡ２１４の夫々には、データエリア２１３内に発生したディフェクトを管理するディフェクト管理情報が適宜記録されたり、当該ディフェクトが発生したエリア部分に記録されていた又は記録されるべきデータが代替的に記録される。データエリア２１３には、任意のデータが適宜記録される。尚、データエリア２１３におけるデータ構造については、後に詳述する（図３から図４参照）。リードアウトエリア２１５には、データエリア２１３に記録されたデータを制御又は管理する制御データ又は管理データや、その他のダミーデータ等が適宜記録される。尚、ＲＥ層２１は、書替型の記録層であるため、リードインエリア２１１、ＩＳＡ２１２、データエリア２１３、ＯＳＡ２１４及びリードアウトエリア２１５の夫々には、例えばレーザ光の照射によって形成されるマークを用いて各種データが記録される。
【００６５】
本実施例では、光ディスク１１は、同一ファミリーの規格に準拠し且つ異なる種類の複数の記録層が積層された光ディスク（いわゆる、イントラハイブリッドディスク）であることが好ましい。つまり、ＲＯＭ層２０が準拠するべき規格はＲＥ層２１が準拠するべき規格と同一ファミリー規格であることが好ましい。より具体的には、例えば、ＲＯＭ層２０がＢＤ規格に準拠している場合には、ＲＥ層２１もまたＢＤ規格に準拠していることが好ましい。同様に、例えば、ＲＯＭ層２０がＤＶＤ規格に準拠している場合には、ＲＥ層２１もまたＤＶＤ規格に準拠していることが好ましい。もちろん、ＢＤ規格やＤＶＤ規格に限らず、その他の規格に準拠している場合も同様である。尚、以下では、ＲＯＭ層２０及びＲＥ層２１の双方がＢＤ規格に準拠している場合を例にあげて説明を進める。但し、光ディスク１１は、異なるファミリーの規格に準拠し且つ異なる種類の複数の記録層が積層された光ディスク（いわゆる、インターハイブリッドディスク）であってもよい。
【００６６】
また、本実施例では、光ディスク１１が備える２つの記録層の種類が異なっていることが好ましい。但し、光ディスク１１が備える２つの記録層の種類が同一であってもよい。尚、本実施例では、再生専用型の記録層であるＲＯＭ層２０と、データを複数回記録可能な書替型の記録層であるＲＥ層２１とを備えている光ディスク１１を例にあげて説明を進める。但し、光ディスク１１は、例えば再生専用型の記録層と、データを１回のみ記録可能な追記型の記録層とを備えていてもよい。或いは、光ディスク１１は、データを１回のみ記録可能な追記型の記録層と、データを複数回記録可能な書換型の記録層とを備えていてもよい。
【００６７】
尚、ＲＯＭ層２０におけるトラックパス方向は、ＲＥ層２１におけるトラックパス方向と同一であってもよいし、異なっていてもよい。尚、本実施例では、ＲＯＭ層２０におけるトラックパス方向及びＲＥ層２１におけるトラックパス方向の夫々が、内周側から外周側に向かう方向である光ディスク１１を例にあげて説明を進める。
【００６８】
尚、図１及び図２に示す光ディスク１１は、２つの記録層（つまり、ＲＯＭ層２０及びＲＥ層２１）を有している。しかしながら、光ディスク１１は、３つ以上の記録層を有していてもよい。
【００６９】
（１−２）具体的なデータ構造
続いて、図３を参照して、光ディスク１１上の具体的なデータ構造について説明する。ここに、図３は、光ディスク１１上のデータ構造を示すデータ構造図である。
【００７０】
図３に示すように、ＲＯＭ層２０のデータエリア２０３には、ＲＯＭデータファイル２５０と、「識別情報」の一例であるレコーダ識別子ファイル２６０とが予め記録されている。
【００７１】
ＲＯＭデータファイル２５０は、光ディスク１１をローディングする記録再生装置１が再生する（言い換えれば、読み取る）データを含んでいる。図３に示す例では、ＲＯＭデータファイル２５０は、記録再生装置１が再生するデータとして、画像やイラスト等のＪＰＥＧデータ（言い換えれば、静止画データ）を含んでいる。
【００７２】
レコーダ識別子ファイル２６０は、ＲＥ層２１のデータエリア２１３に対する特定のデータの記録が許可されている又は禁止されている記録再生装置１を識別する識別子データ２６１を含んでいる。尚、特定のデータとしては、ＲＥ層２１のデータエリア２１３に記録されているデータであって且つ不本意な消去ないしは上書きが好ましくないデータが一例としてあげられる。言い換えれば、特定のデータとしては、ＲＥ層２１のデータエリアに２１３に記録されているデータであって且つ後述する独自メニューファイルによってその一部が特定されるデータが一例としてあげられる。尚、以下では、特定のデータの一例として、後述するＢＤ−ＡＶデータ２７１を用いて説明を進める。
【００７３】
また、図３に示すように、ＲＥ層２１のデータエリア２１には、ユーザデータファイル２７０と、独自メニューファイル２８０とが適宜記録される。
【００７４】
ユーザデータファイル２７０は、光ディスク１１をローディングする記録再生装置１が再生する又は記録するデータを含んでいてもよい。例えば、図３に示す例では、ユーザデータファイル２７０は、光ディスク１１をローディングする記録再生装置１が再生する又は記録するデータとして、ＢＤ−ＡＶデータ（言い換えれば、ＡＶコンテンツデータ）２７１を含んでいる。
【００７５】
ＢＤ−ＡＶデータ２７１は、例えばＢＤ−ＡＶ規格に準拠したデータであって、ＭＰＥＧデータ等の動画データ２７２と、当該動画データ２７２に関連する共通メニューであって且つ光ディスク１１をローディングする記録再生装置１が共通して利用可能な共通メニューを示す共通メニューデータ２７３とを含んでいる。尚、共通メニューデータ２７３が示す共通メニューとしては、動画データ２７２に含まれるタイトル（言い換えれば、番組）を特定するメニュー等が一例としてあげられる。言い換えれば、共通メニューデータ２７３が示す共通メニューとしては、動画データ２７２にタイトル＃１からタイトル＃２（或いは、タイトル＃ｎ：但し、ｎは１以上の整数）が記録されていることを示すメニュー等が一例としてあげられる。
【００７６】
独自メニューファイル２８０は、動画データ２７２に関連する独自メニューであって且つ独自メニューファイル２８０を記録した記録再生装置１に固有の（言い換えれば、独自の）独自メニューを示す。言い換えれば、独自メニューファイル２８０は、当該独自メニューファイル２８０を記録した記録再生装置１以外の他の記録再生装置１が利用することができない独自メニューを示す。尚、独自メニューファイル２８０が示す独自メニューの一例として、例えば、動画データ２７２が示す動画の一部分（例えば、動画の一シーンないしは静止画等）を特定するメニューが一例としてあげられる。より具体的には、独自メニューファイル２８０が示す独自メニューの一例として、例えば動画データ２７２が示す動画の特定の一部分をダイジェスト再生するためのメニューや、例えば動画データ２７２が示す動画に現れる特定の登場人物のシーンを再生するためのメニュー等が一例としてあげられる。このため、独自メニューファイル２８０は、動画データ２７２のうち独自メニューファイル２８０によって利用されるデータを特定するための部分再生データ２８１を含んでいる。例えば、部分再生データ２８１は、動画データ２７２の一部（例えば、図３に示すハッチング部分）を特定する情報（例えば、アドレス（例えば、開始アドレス及び終了アドレスの組み合わせ等））を含んでいる。このため、独自メニューを利用する記録再生装置１は、部分再生データ２８１を参照した後にＲＥ層２１のデータエリア２１３に記録されている動画データ２７２の一部を読み取ることで、独自メニューを利用することができる。
【００７７】
本実施例では、レコーダ識別ファイル２６０中の識別子データ２６１と記録再生装置１の識別子との比較結果に応じて、ＲＥ層２１のデータエリア２１３に対する特定のデータ（例えば、ＢＤ−ＡＶデータ２７１）の記録が許可されたり或いは禁止されたりする。この動作については、図６に示すフローチャートを参照しながら後に詳述する。
【００７８】
尚、上述したデータ構造は一例であって、ＲＯＭ層２０及びＲＥ層２１の夫々に上述したデータないしはファイル以外の他のデータないしは他のファイルが記録されてもよいことは言うまでもない。
【００７９】
（１−３）識別子データのデータ構造
続いて、図４を参照して、図３に示す識別子データ２６１のデータ構造について説明する。ここに、図４は、識別子データ２６１のデータ構造を示すデータ構造図である。
【００８０】
図４に示すように、識別子データ２６１は、複数の識別子レコード２６２を含んでいる。尚、図４は、識別子データ２６１が複数の識別子レコード２６２を含んでいる例を示しているが、識別子データ２６１がただ１つの識別子レコード２６２を含んでいてもよい。
【００８１】
各識別子レコード２６２は、ＲＥ層２１のデータエリア２１３に対するデータ（例えば、ＢＤ−ＡＶデータ２７１）の記録が許可されている記録再生装置１の識別子を示す。但し、各識別子レコード２６２は、ＲＥ層２１のデータエリア２１３に対するデータ（例えば、ＢＤ−ＡＶデータ２７１）の記録が禁止されている記録再生装置１の識別子を示していてもよい。いずれにせよ、各識別子レコード２６２は、ＲＥ層２１のデータエリア２１３に対するデータ（例えば、ＢＤ−ＡＶデータ２７１）の記録が許可されている記録再生装置１を識別することができる情報を含んでいる。尚、以下では、識別子レコード２６２が、ＲＥ層２１のデータエリア２１３に対するデータ（例えば、ＢＤ−ＡＶデータ２７１）の記録が許可されている記録再生装置１の識別子を示す例を用いて説明を進める。
【００８２】
各識別レコード２６２は、識別子長２６３と、メーカ識別子２６４と、装置識別子２６５とを含んでいる。
【００８３】
識別子長２６３は、メーカ識別子２６４及び装置識別子２６５のデータサイズ（例えば、バイト数又はビット数）を示す。
【００８４】
メーカ識別子２６４は、記録再生装置１の製造者（メーカ）に対して個別に割り当てられる識別子を示す。このため、メーカ識別子２６４は、ＲＥ層２１のデータエリア２１３に対するデータ（例えば、ＢＤ−ＡＶデータ２７１）の記録が許可されている記録再生装置１のメーカに対して個別に割り当てられる識別子を示す。但し、上述したように、ＲＥ層２１のデータエリア２１３に対するデータ（例えば、ＢＤ−ＡＶデータ２７１）の記録が許可されている記録再生装置１を識別することができればよいことを考慮すれば、メーカ識別子２６４は、ＲＥ層２１のデータエリア２１３に対するデータ（例えば、ＢＤ−ＡＶデータ２７１）の記録が禁止されている記録再生装置１のメーカに対して個別に割り当てられる識別子を示していてもよい。尚、異なる複数のメーカに対しては、夫々異なるメーカ識別子２６４が割り当てられる。
【００８５】
装置識別子２６５は、記録再生装置１の製造者（メーカ）内で、記録再生装置１に対して独自に割り当てられる識別子を示す。このため、装置識別子２６５は、ＲＥ層２１のデータエリア２１３に対するデータ（例えば、ＢＤ−ＡＶデータ２７１）の記録が許可されている記録再生装置１に対して、当該記録再生装置１のメーカ内で独自に割り当てられる識別子を示す。但し、上述したように、ＲＥ層２１のデータエリア２１３に対するデータ（例えば、ＢＤ−ＡＶデータ２７１）の記録が許可されている記録再生装置１を識別することができればよいことを考慮すれば、装置識別子２６５は、ＲＥ層２１のデータエリア２１３に対するデータ（例えば、ＢＤ−ＡＶデータ２７１）の記録が禁止されている記録再生装置１に対して、当該記録再生装置１のメーカ内で独自に割り当てられる識別子を示していてもよい。尚、異なる複数のメーカの夫々の記録再生装置１に対しては、同一の装置識別子２６５が割り当てられることもあり得る。但し、異なる複数のメーカの夫々の記録再生装置１のメーカ識別子２６４が異なるため、両者の記録再生装置１を識別することは可能である。
【００８６】
尚、図４に示す識別子データ２６１のデータ構造は一例であることは言うまでもない。従って、識別子データ２６１は、図４に示す例とは異なるデータ構造を有していてもよい。例えば、識別子データ２６１は、メーカ識別子２６４及び装置識別子２６５を区別することなく、各記録再生装置１に固有の１つの識別子を含んでいてもよい。
【００８７】
（２）記録再生装置
（２−１）記録再生装置の構成
続いて、図５を参照して、記録装置及び記録再生装置の実施例としての記録再生装置１の構成について説明を進める。ここに、図５は、本実施例の記録再生装置１の構成を概念的に示すブロック図である。尚、記録再生装置１は、光ディスク１１に各種データを記録する機能と、光ディスク１１に記録された各種データを再生する機能とを備える。
【００８８】
図５に示すように、記録再生装置１は、実際に光ディスク１１がローディングされ且つデータの記録やデータの再生が行なわれるディスクドライブ３００と、該ディスクドライブ３００に対するデータの記録及び再生を制御するパーソナルコンピュータ等のホストコンピュータ４００とを備えている。
【００８９】
ディスクドライブ３００は、光ディスク１１、スピンドルモータ３５１、光ピックアップ３５２、信号記録再生手段３５３、ＣＰＵ（ドライブ制御手段）３５４、メモリ３５５、データ入出力制御手段３０６、及びバス３５７を備えている。また、ホストコンピュータ４００は、ＣＰＵ３５９、メモリ３６０、操作／表示制御手段３０７、操作ボタン３１０、表示パネル３１１、データ入出力制御手段３０８、及びバス３５８を備えている。
【００９０】
スピンドルモータ３５１は光ディスク１１を回転及び停止させるもので、光ディスク１１へのアクセス時に動作する。より詳細には、スピンドルモータ３５１は、図示しないサーボユニット等によりスピンドルサーボを受けつつ所定速度で光ディスク１１を回転及び停止させるように構成されている。
【００９１】
光ピックアップ３５２は、光ディスク１１への記録再生を行うために、例えば半導体レーザ装置とレンズ等から構成される。より詳細には、光ピックアップ３５２は、光ディスク１１に対してレーザービーム等の光ビームを、再生時には読み取り光として第１のパワーで照射し、記録時には書き込み光として第２のパワーで且つ変調させながら照射する。
【００９２】
信号記録再生手段３５３は、ＣＰＵ３５４及びＣＰＵ３５９と共に本発明における「読取手段」、「記録手段」及び「再生手段」の一具体例を構成しており、スピンドルモータ３５１と光ピックアップ３５２を制御することで光ディスク１１に対して記録再生を行う。より具体的には、信号記録再生手段３５３は、例えば、レーザダイオードドライバ（ＬＤドライバ）及びヘッドアンプ等によって構成されている。レーザダイオードドライバは、光ピックアップ３５２内に設けられた図示しない半導体レーザを駆動する。ヘッドアンプは、光ピックアップ３５２の出力信号、即ち、光ビームの反射光を増幅し、該増幅した信号を出力する。
【００９３】
メモリ３５５は、記録再生データのバッファ領域や、信号記録再生手段３５３で使用出来るデータに変換する時の中間バッファとして使用される領域などディスクドライブ３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。
【００９４】
ＣＰＵ（ドライブ制御手段）３５４は、信号記録再生手段３５３及びメモリ３５５と、バス３５７を介して接続され、各種制御手段に指示を行うことで、ディスクドライブ３００全体の制御を行う。通常、ＣＰＵ３５４が動作するためのソフトウェア又はファームウェアは、メモリ３５５に格納されている。
【００９５】
データ入出力制御手段３０６は、ディスクドライブ３００に対する外部からのデータ入出力を制御し、メモリ３５５上のデータバッファへの格納及び取り出しを行う。ディスクドライブ３００とＳＣＳＩや、ＡＴＡＰＩなどのインタフェースを介して接続されている外部のホストコンピュータ４００から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。
【００９６】
操作／表示制御手段３０７はホストコンピュータ４００に対する動作指示受付と表示を行うもので、例えば記録又は再生といった操作ボタン３１０による指示をＣＰＵ３５９に伝える。
【００９７】
ＣＰＵ３５９は、「判定手段」の一具体例を構成しており、操作／表示制御手段３０７からの指示情報を元に、データ入出力手段３０８を介して、ディスクドライブ３００に対して制御命令（コマンド）を送信し、ディスクドライブ３００全体を制御する。同様に、ＣＰＵ３５９は、ディスクドライブ３００に対して、動作状態をホストに送信するように要求するコマンドを送信することができる。これにより、記録中や再生中といったディスクドライブ３００の動作状態が把握できるためＣＰＵ３５９は、操作／表示制御手段３０７を介して蛍光管やＬＣＤなどの表示パネル３１１にディスクドライブ３００の動作状態を出力することができる。
【００９８】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。
【００９９】
メモリ３６０には、記録再生装置１自身の識別子３２０が格納されている。但し、メモリ３６０以外の箇所に記録再生装置１自身の識別子３２０が格納されていてもよい。
【０１００】
（３−２）記録再生装置の動作
続いて、図６を参照して、本実施例の記録再生装置１の動作について説明する。ここに、図６は、本実施例の記録再生装置１の動作の流れを概念的に示すフローチャートである。
【０１０１】
図６に示すように、初めに、光ディスク１１が記録再生装置１にローディングされる（ステップＳ１０１）。
【０１０２】
続いて、ＣＰＵ３５９の制御下で動作する信号記録再生手段３５３により、光ディスク１１から、レコーダ識別子ファイル２６０に含まれる識別子データ２６１が取得される（ステップＳ１０２）。ステップＳ１０２の動作に続いて、並行して又は相前後して、ＣＰＵ３５９の動作により、記録再生装置１のメモリ３６０から、記録再生装置１自身の識別子３２０（つまり、上述したメーカ識別子２６４及び装置識別子２６５を含む識別子３２０）が取得される（ステップＳ１０３）。
【０１０３】
続いて、ＣＰＵ３５９の動作により、ステップＳ１０３において取得された識別子３２０が、ステップＳ１０２において取得された識別子データ２６１中に含まれているか否かが判定される（ステップＳ１０４）。つまり、ステップＳ１０３において取得された識別子３２０が、ステップＳ１０２において取得された識別子データ２６１中に含まれているメーカ識別子２６４及び装置識別子２６５の組み合わせと一致するか否かが判定される（ステップＳ１０４）。言い換えれば、ステップＳ１０３において取得された識別子３２０を有する記録再生装置１（つまり、光ディスク１１をローディングした記録再生装置１）が、ＲＥ層２１のデータエリア２１３に対する特定のデータ（例えば、ＢＤ−ＡＶデータ２７１）の記録が許可されている記録再生装置１であるか否かが判定される（ステップＳ１０４）。
【０１０４】
ステップＳ１０４における判定の結果、ステップＳ１０３において取得された識別子３２０が、ステップＳ１０２において取得された識別子データ２６１中に含まれていると判定される場合には（ステップＳ１０４：Ｙｅｓ）、光ディスク１１をローディングした記録再生装置１は、ＲＥ層２１のデータエリア２１３に対するＢＤ−ＡＶデータ２７１の記録が許可されている記録再生装置１であると判定される。従って、ＣＰＵ３５９の制御の下に、ＲＥ層２１のデータエリア２１３に対するＢＤ−ＡＶデータ２７１の記録が許可される（ステップＳ１０５）。従って、記録再生装置１は、ＲＯＭ層２０記録されている任意のデータの再生及びＲＥ層２１に記録されている任意のデータの再生に加えて、ＲＥ層２１に対するＢＤ−ＡＶデータ２７１の記録（更には、その他の任意のデータの記録）を行うことができる（ステップＳ１０６）。
【０１０５】
他方で、ステップＳ１０４における判定の結果、ステップＳ１０３において取得された識別子３２０が、ステップＳ１０２において取得された識別子データ２６１中に含まれていないと判定される場合には（ステップＳ１０４：Ｎｏ）、光ディスク１１をローディングした記録再生装置１は、ＲＥ層２１のデータエリア２１３に対するＢＤ−ＡＶデータ２７１の記録が許可されていない記録再生装置１であると判定される。従って、ＣＰＵ３５９の制御の下に、ＲＥ層２１のデータエリア２１３に対するＢＤ−ＡＶデータ２７１の記録が禁止される（ステップＳ１０７）。従って、記録再生装置１は、ＲＯＭ層２０記録されている任意のデータの再生及びＲＥ層２１に記録されている任意のデータの再生を行うことができる（ステップＳ１０８）。他方で、記録再生装置１は、ＲＥ層２１に対するＢＤ−ＡＶデータ２７１の記録を行うことができない（ステップＳ１０６）。尚、記録再生装置１は、ＲＥ層２１に対するＢＤ−ＡＶデータ２７１以外の他の任意のデータの記録もまた行うことができないことが好ましい。但し、記録再生装置１は、ＲＥ層２１に対するＢＤ−ＡＶデータ２７１以外の他の任意のデータの記録を行ってもよい。
【０１０６】
以上説明したように、本実施例によれば、記録再生装置１は、識別子データ２６１を参照することで、ＲＥ層２１のデータエリア２１３への特定のデータ（例えば、ＢＤ−ＡＶデータ２７１）の記録が許可されているか否かを判定することができる。従って、記録再生装置１は、ＲＥ層２１のデータエリア２１３へのＢＤ−ＡＶデータ２７１の記録が許可されていると判定された場合に、ＲＥ層２１のデータエリア２１３に対してＢＤ−ＡＶデータ２７１を記録することができる。他方で、記録再生装置１は、ＲＥ層２１のデータエリア２１３へのＢＤ−ＡＶデータ２７１の記録が許可されていると判定されない場合に、ＲＥ層２１のデータエリア２１３に対してＢＤ−ＡＶデータ２７１を記録することができない。
【０１０７】
ここで、本実施例の比較例として、ＲＥ層２１のデータエリア２１３へのＢＤ−ＡＶデータ２７１の記録が許可されているか否かを判定しない（或いは、識別子データ２６１が記録されていない記録媒体に対する記録動作を行う）記録再生装置の動作について、図７を参照しながら説明する。ここに、図７は、比較例の記録再生装置の動作によって生ずる光ディスク１１上のデータ構造を示すデータ構造図である。
【０１０８】
比較例では、記録再生装置１自身がＲＥ層２１のデータエリア２１３へのＢＤ−ＡＶデータ２７１の記録が許可されているか否かが判定されない。このため、比較例の記録再生装置が光ディスク１１をローディングした場合には、比較例の記録再生装置は、ＲＥ層２１のデータエリア２１３に対してＢＤ−ＡＶデータ２７１を記録することができる。
【０１０９】
ここで、光ディスク１１をローディングした比較例の記録再生装置が、独自メニューファイル２８０を記録した又は独自メニューファイル２８０を記録する機能を有する記録再生装置である場合について検討する。この場合、比較例の記録再生装置は、独自メニューファイル２８０を参照することができる。このため、比較例の記録再生装置は、独自メニューファイル２８０がＢＤ−ＡＶデータ２７１の一部（具体的には、動画データ２７２の一部）を特定していることを認識することができる。従って、比較例の記録再生装置は、独自メニューファイル２８０が特定しているＢＤ−ＡＶデータ２７１の一部の存在を考慮した上で、ＢＤ−ＡＶデータ２７１を記録することができる。
【０１１０】
他方で、光ディスク１１をローディングした比較例の記録再生装置が、独自メニューファイル２８０を記録していない又は独自メニューファイル２８０を記録する機能を有していない記録再生装置である場合について検討する。この場合、比較例の記録再生装置は、独自メニューファイル２８０を参照することができない。このため、比較例の記録再生装置は、独自メニューファイル２８０がＢＤ−ＡＶデータ２７１の一部（具体的には、動画データ２７２の一部）を特定していることを認識することができない。従って、比較例の記録再生装置は、独自メニューファイル２８０が特定しているＢＤ−ＡＶデータ２７１の一部の存在を考慮することなく、ＢＤ−ＡＶデータ２７１を記録してしまいかねない。その結果、図７中の点線で示すように、独自メニューファイル２８０が特定しているＢＤ−ＡＶデータ２７１の一部（例えば、タイトル＃１）が消去ないしは上書きされてしまいかねない。
【０１１１】
その後、図７に示す光ディスク１１（つまり、独自メニューファイル２８０が特定しているＢＤ−ＡＶデータ２７１の一部が消去ないしは上書きされた光ディスク１１）が、再度、独自メニューファイル２８０を記録した又は独自メニューファイル２８０を記録する機能を有する記録再生装置にローディングされたとする。この場合、記録再生装置は、独自メニューから再生しようとするが、タイトル＃１が消去ないしは上書きされているため、独自メニューから正しく再生することができない。
【０１１２】
しかるに、本実施例では、上述したように、記録再生装置１は、ＲＥ層２１のデータエリア２１３へのＢＤ−ＡＶデータ２７１の記録が許可されていると判定された場合に、ＲＥ層２１のデータエリア２１３に対してＢＤ−ＡＶデータ２７１を記録することができる。言い換えれば、記録再生装置１は、ＲＥ層２１のデータエリア２１３へのＢＤ−ＡＶデータ２７１の記録が許可されていると判定されない場合に、ＲＥ層２１のデータエリア２１３に対してＢＤ−ＡＶデータ２７１を記録することができない。従って、図７に示すように、独自メニューファイル２８０が特定しているＢＤ−ＡＶデータ２７１の一部が不本意に消去ないしは上書きされてしまう技術的な不都合を好適に防止することができる。
【０１１３】
尚、上述した技術的効果を考慮すれば、本実施例では、独自メニューファイル２８０を記録した又は独自メニューファイル２８０を記録する機能を有する記録再生装置１が、ＲＥ層２１のデータエリア２１３へのＢＤ−ＡＶデータ２７１の記録が許可されている記録再生装置であることが好ましい。他方で、独自メニューファイル２８０を記録していない又は独自メニューファイル２８０を記録する機能を有していない記録再生装置１が、ＲＥ層２１のデータエリア２１３へのＢＤ−ＡＶデータ２７１の記録が許可されていない記録再生装置であることが好ましい。
【０１１４】
加えて、本実施例では、識別子データ２６１が、ファイルシステムによって認識可能なファイル（つまり、レコーダ識別ファイル２６０）として記録されている。従って、記録再生装置１がハードウェア装置から構成されている場合のみならず、記録再生装置１がソフトウェアから構成されている場合にも、識別子データ２６１を好適に読み取ることができる。つまり、記録再生装置１が、レコーダという１個のハードウェアから構成されている場合のみならず、光ディスクドライブとソフトウェア（パソコン上で実行されるソフトウェア）から構成される場合にも、識別子データ２６１を好適に読み取ることができる。従って、記録再生装置１がハードウェアから構成されているか又はソフトウェアから構成されているかに関わらず、ＲＥ層２１のデータエリア２１３へのＢＤ−ＡＶデータ２７１の不本意な消去ないしは上書きを防止することができる。
【０１１５】
加えて、本実施例では、識別子データ２６１に含まれる各識別レコード２６２が、メーカ識別子２６４及び装置識別子２６５に分割されている。このため、記録再生装置１は、まずはメーカ識別子２６４を参照することで、記録再生装置１のメーカ単位でのＢＤ−ＡＶデータ２７２の記録が許可されているか否かを迅速に判定することができる。つまり、記録再生装置１は、記録再生装置１の識別を相対的に迅速に行うことができる。加えて、記録再生装置１は、装置識別子２６５を読み取ることで、同一メーカ内での記録再生装置１に的を絞った上でＢＤ−ＡＶデータ２７２の記録が許可されているか否かを迅速に判定することができる。しかも、他のメーカとの間での装置識別子２６５の重複を考慮することなく同一メーカ内での自由な装置識別子２６５の割り当てが可能になると共に、同一メーカ内での記録再生装置１のグループ分けが容易になる。
【０１１６】
尚、上述の説明では、ＲＯＭ層２０及びＲＥ層２１を備える光ディスク１１について説明している。しかしながら、１つの記録層上にＲＯＭエリア（つまり、再生が可能であり且つ記録が不可能なエリアであって、ＲＯＭ層２０と同様の機能を有するエリア）とＲＥエリア（つまり、再生及び記録が可能なエリアであって、ＲＥ層２１と同様の機能を有するエリア）とが配置されている場合においても、上述した構成を適用してもよい。このように構成しても、上述した各種効果を好適に享受することができる。
【０１１７】
本発明は、上述した実施例に限られるものではなく、請求の範囲及び明細書全体から読み取れる発明の要旨或いは思想に反しない範囲で適宜変更可能であり、そのような変更を伴う記録媒体、記録装置及び方法、記録再生装置及び方法、並びにコンピュータプログラムもまた本発明の技術的範囲に含まれるものである。
【符号の説明】
【０１１８】
１  記録再生装置
１１  光ディスク
２０  ＲＯＭ層
２０３  データエリア
２１  ＲＥ層
２１３  データエリア
２６０  レコーダ識別子ファイル
２６１  識別子データ
２７０  ユーザデータファイル
２７１  ＢＤ−ＡＶデータ
２７２  動画データ
２７３  共通メニューファイル
２８０  独自メニューファイル
２８１  部分再生データ
３００  ディスクドライブ
３２０  識別子
３５１  スピンドルモータ
３５２  ピックアップ
３５３  記録再生手段
３５４、３５９  ＣＰＵ
３５５、３６０  メモリ
４００  ホストコンピュータ
【図１】
2012038386.tif 000003
【図２】
2012038386.tif 000004
【図３】
2012038386.tif 000005
【図４】
2012038386.tif 000006
【図５】
2012038386.tif 000007
【図６】
2012038386.tif 000008
【図７】
2012038386.tif 000009